(57)【要約】      （修正有）【課題】掴みの為の開閉機能を有し、汎用のつかみ棒とゴルフボールで適格に捕球、保持を行うパークゴルフ用ボールのセット用具を提供する。【解決手段】幅約２５ｍｍ長さ約８０ｍｍＡＢＳ樹脂製のホルダー１と、幅約２０ｍｍ長さ約３５ｍｍの操作レバー２と、約２０ｍｍ角の延長管３と、長さ約７５０ｍｍのアルミ鋼製の携帯時に使用する折り畳みジョイント４と、を含み、操作レバー２と押し付けバネ板５と引っ張りバネ板とを結ぶ操作ワイヤーを内蔵し、押し付けバネ板５と引っ張りバネ板は厚さ約１ｍｍ幅約１２ｍｍのＳＵＳ製とし、外径約４０ｍｍの熱可塑性樹脂製の捕球リング７を連結する。【選択図】図１
0003232860.tif 000002
【実用新案登録請求の範囲】
【請求項１】
パークゴルフ用ボールのセット，拾い用具であって、その構造は幅約２５ｍｍ、長さ約８０ｍｍＡＢＳ樹脂製の符号１のホルダーと、幅約２０ｍｍ長さ約３５ｍｍ，ＡＢＳ樹脂製の符号２の操作レバー、約２０ｍｍ角、長さ約７５０ｍｍアルミ鋼製の符号３の延長管、符号８の径２ｍｍの鋼製ワイヤー、更に幅約１２ｍｍ、厚さ約１ｍｍの押し付けバネ板、符号６の同一構造の符号６の鋼製引っ張り板バネに径約４０ｍｍ、太さ約４ｍｍ熱可塑性樹脂製の符号７の捕球リングとを組み合わせた構造により一体化した用具であり、その操作は符号１のホルダーを操作位置に保持する事から、符号２のレバーの操作を符号８の操作ワイヤーを通じ、符号５、符号６の収縮バネ板と符号７の捕球リングを開閉しボールの保持解放を行う事で腰の屈伸なしでグランド上のボール操作を可能とする特長を有するパークゴルフ用ボールのセット用具。
【考案の詳細な説明】
【技術分野】
【０００１】高齢者の健康スポーツとして普及しているパークゴルフ競技において、スタート時におけるボールのセット並びに各コース終了時のホールポストからのボールの拾いのプレーは、プレイヤー自身が膝腰を曲げての姿勢でのプレーが要求される事からの腰膝の関節の苦痛が原因での高齢プレーヤーが競技を中断、辞退される数が増加している。
現在市場には前記の拾いのみを行う用具は存在するが、同じ条件で腰を曲げる事なくボールをセット出来る用具は無くボールのセットと拾いの両機能を有する用具の開発が求められている。
本考案は日用品として汎用されているつかみ棒が有する掴み可動部の開閉機能とボールを適確に捕球し保持する機能を有するリング材との組み合わせによりその構造と形状を変更した用具を開発使用する事により、高齢プレーヤーが直面する腰痛よりの解放とボールのセットと拾いを膝、腰を曲げる事なくプレーを継続出来る多機能な用具を使用する事によりこのスポーツの目的でもある健康増進を可能とするものである。
【背景技術】
【０００２】この考案はパークゴルフ競技における基本プレーであるスタート時のボールのセットと各コース終了時のボールの拾いは、プレイヤー自身が足腰の屈伸姿勢で行う事が求められるが、近年高齢プレーヤーから前記基本プレーを行う際に起こる腰痛等の苦痛から競技を辞退する人が増加し、老後の健康スポーツとして始めたパークゴルフの継続が不可能となる状況を解決されるる方策が求められている。
プレイヤー自身が腰を曲げる事なくボールのセット並びに拾いの処理が可能な多能な用具は現在の市場では無く１台でボールセットと拾いの多機能を有する用具の開発が熱望されている。
【先行技術文献】
【特許文献】
【０００３】
【特許文献１】特開２０１７−２０２５３４号公報
【非特許文献】
【０００４】
【非特許文献１】実戦パークゴルフルール基本編  北海道新聞社出版センター
【考案の概要】
【考案が解決しようとする課題】
【０００５】パークゴルフ競技に於いてプレーヤーが行っているプレーの基本として、スタート時のボールセットと各コース終了時のホールポストからのの拾いはプレイヤー自身の膝、腰の屈伸によりこれを行っているが、このプレーを続ける事による高齢プレーヤーが膝、腰の関節不全等による腰痛に耐え切れず目的としてきた生涯スポーツを断念する人が増加する中で、この対策としての有効な用具の開発が求められている。
その対策として日用品として汎用されている掴み棒の持つ掴み部の開閉機能と、処理するボールを適格に捕球保持する機能の捕球リングとを組み合わる事によその形状と構造の変更を行いパークゴルフ競技のボールを対象としたの用具の開発を行った。
【課題を解決する為の手段】
【０００６】パークゴルフ用ボールのセット、拾い用具であって、その構造は符号１から符号８までの各パーツにより構成される。符号１のホルダーは幅約２５ｍｍ長さ約８０ｍｍＡＢＳ樹脂製、符号２の操作レバーは幅約２０ｍｍ長さ約３５ｍｍ、符号３の延長管は約２０ｍｍ角、長さ約７５０ｍｍのアルミ鋼製に符号４の携帯時に使用する折り畳みジョイントと、操作レバーと符号５の押し付けバネ板を結ぶ符号８の操作ワイヤーを内蔵し、符号５の押し付けバネ板符号６の引っ張りバネ板は厚さ約１ｍｍ幅約１２ｍｍののＳＵＳ製、符号７の捕球リングは外径約４０ｍｍの熱可塑性樹脂製、符号８の操作ワイヤーは外径約２ｍｍのＳＵＳ製である。符号１のホルダーによりボールのセット、拾いの各処理位置に用具の保持を行う、符号２のレバーの操作により符号３の延長管に内蔵された符号８の操作ワイヤ並びに符号５、符号６の各バネ板を駆動せしめ符号７の捕球リングの開閉によりボーの保持解放を行う事でプレーヤーが腰の屈伸なしでプレーを可能とする多機能の機能を特長を有するパークゴルフ用ボールのセット用具。
【発明の効果】
【０００７】上述の如く、汎用品の掴み棒の持つ開閉機能と捕球機能を有するリング材の組み合わせにより形状、構造の変更を行い難題の腰を曲げて行うボールのセットと拾いのプレーを、立ち姿勢での手元操作を可能とする事で高齢者に多い腰痛から解放され、プレーの継続復帰を可能とする等をはじめ、この問題で精神的に悩んでいる人のプレーへの参加と生涯スポーツ継続による健康維持の効果が期待出来る。
【図面の簡単な説明】
【０００８】
【図１】  本考案の正面図である
【図２】  本考案の底面図である。
【図３】  本考案の捕球部平面詳細図である
【図４】  本考案の用具全体の参考斜図である
【考案を実施するための形態】
【０００９】本考案を実施する為の形態について説明する。
図中符号１のホルダーは幅約２５ｍｍ長さ約８０ｍｍＡＢＳ樹脂製で各プレーに必要な位置を保持し図中符号２の操作レバーを操作し、図中符号７の捕球リングの開閉によるボールのセット，拾いの操作を手元で行う。
図中符号３の延長管は約２０ｍｍ角長さ約７５０ｍｍのアルミ鋼製とし、図中符号８の操作ワイヤーを内蔵し、符号２の操作レバーの牽引動作を符号５，６の各バネ板に伝動し符号７の外径約４０ｍｍの捕球リングの開閉によりスタート用のチーの上部へのセットと各コース終了時の拾いを行う事による複数の機能を有する用具である。
【実施例】
【００１０】本考案は日用品分野で汎用しているＡＢＳ樹脂製の掴み棒が持つ先端部の開閉機能と、ゴルフボ−ルを適格に捕球する事とさらに捕球したボールの脱落を抑える機能を有する熱可塑性樹脂製の捕球リングとを組み合わせる事によりその構造と形状を変更した用具を使用する事によりゴルフプレイヤーが腰を曲げる事の無い姿勢でのグランド上のボールの処理を可能とするものである。競技スタート時のセットは、符号１のホルダーによる設定位置に保持し符号２レバーの引き付け、解放操作により保持していたボールを解放し、スタート用チー上で解放し、各コース終了時の拾いは、同様に符号２のレバーを引き込み符号８による操作ワイヤーにより伝導する符号７の捕球リングの収縮によりボールを捕球し保持を行う機能を有する用具使用することにより現在の問題を解決するものである。
【符号の説明】
【００１１】１  ホルダー
２  操作レバー
３  延長管
４  折りたたみジョイント
５  押し付けバネ板
６  引っ張りバネ板
７  捕球リング
８  操作ワイヤー
【図１】
0003232860.tif 000003
【図２】
0003232860.tif 000004
【図３】
0003232860.tif 000005
【図４】
0003232860.tif 000006
【手続補正書】
【提出日】令和3年3月15日(2021.3.15)
【手続補正１】
【補正対象書類名】実用新案登録請求の範囲
【補正対象項目名】全文
【補正方法】変更
【補正の内容】
【実用新案登録請求の範囲】
【請求項１】
パークゴルフ用ボールのセット用具であって、その構成は足元の物体を手元にて掴む、離すの機能を有する操作棒と、ゴルフ規則による規格ボールを対象とする球体を適格に捕球可能な捕球部機能、更にプレーの為の携帯と保管の簡便さの利便機能とを有効に組み合わることにより、掴み棒の形状を変更し従来グランド上でのかがみ姿勢てのプレー姿勢を立ち姿勢に変える事を可能とするものであり、操作機能の構造の「ホルダー（１）」は寸法幅約２５ｍｍ角、長さ約８０ｍｍのＡＢＳ樹脂成形品であり、使用時における用具全体の位置の保持を行い、ゴルフプレー中のセット、拾いの操作作を手元にて行う、「操作レバー（２）」は寸法幅約２０ｍｍ角、長さ約３５ｍｍのＡＢＳ樹脂成形品で「ホルダー（１）」の下部に取り付られ指先での引き付け、戻しの操作を行いこの操作を「操作ワイヤー（８）」により連結された捕球部への動作の伝達により捕球と解放操作を行なう、「延長管（３）」は外径寸法約２０ｍｍ角状の、長さ約７５０ｍｍの軽量アルミ管を使用し足元でのボール処理を立ち姿勢での手元で操作を行う長さとしその内部に「操作ワイヤー（８）」を内蔵する、「押し付けばね板（５）」は厚さ寸法約１ｍｍ幅約１２ｍｍのＳＵＳ鋼とし、素材が有する復元力を利用する事ににより「操作レバー（２）」の離しの操作により捕球部を開の状態としゴルフボールを解放する、「引っ張りバネ板（６）」は厚さ約１ｍｍ幅約１２ｍｍのＳＵＳ鋼とし「操作レバー（２）」の引き込みによる操作によりバネ板を引き上げる事での中心部への移動により捕球部を閉の状態としゴルフボールの捕球とボールの保持を行う、「操作ワイヤー（８）」は寸法約２ｍｍ太の鋼製ワイヤーを「延長管（３）」の内部に取り付け「操作レバー（２）」で行う引く、離すの操作を連結した捕球部への伝達を行う、捕球機能構造の「捕球リング（７）」は外形寸法約４０ｍｍ太さ約４ｍｍのゴルフボールと同じ熱可塑性樹脂製とする事により捕球時のスムーズな滑りによりゴルフボール球体を容易にリング中心部に収容する捕球、保持とプレー中のスタート時のボールのセットの為の解放を行う為に両側の「引っ張りバネ板（６）」に取り付ける、利便機能構造の「折り畳みジョイント（４）」は外径寸法約）２５ｍｍのＡＢＳ樹脂成型品であり、用具の携帯と保管の利便性を考慮し「延長管（３）」の長さの約１／２の位置に取り付け折り畳み操作により用具全体の長さの短縮を図るＡＢＳ樹脂成型品での蝶番型とした、この３種の機能と構造を有効に組み合わる事とより掴み棒の形状の変更を行った用具の開発を行った、この用具の利用によりゴルフプレーで要求されるグランド上でのかがみ姿勢でのスタート時でのボールセットとプレー中のボールの拾い保持を腰を伸ばした立ち姿勢で行うことを可能とした、、現在高齢ゴルフプレイヤーが離脱に直面している事態を打破し、プレー中に抱えるかがみ姿勢から生ずる膝、腰痛等の苦痛より解放され、健康と生涯スポーツへの継続と離脱者のプレーへの復帰を可能とする用具である。